(57)【要約】【課題】  有機系廃棄物を蒸気分解して得られる固形分解物の新たな処理方法を提供する。【解決手段】  有機系廃棄物Ｘを蒸気分解して得られた固形分解物Ｙの処理方法であって、固形分解物Ｙを生分解性プラスチック容器に詰め込んで埋設する。【選択図】      図２
2005144245.tif 000002
【特許請求の範囲】
【請求項１】
有機系廃棄物を蒸気分解して得られた固形分解物の処理方法であって、固形分解物を生分解性プラスチック容器に詰め込んで埋設することを特徴とする固形分解物の処理方法。
【請求項２】
有機系廃棄物を蒸気分解して得られた固形分解物の処理方法であって、固形分解物をマット状にプレス成形して土木資材とすることを特徴とする固形分解物の処理方法。
【請求項３】
有機系廃棄物を蒸気分解して得られた固形分解物の処理方法であって、固形分解物をペレット状に成形して固形燃料とすることを特徴とする固形分解物の処理方法。
【請求項４】
有機系廃棄物を蒸気分解して得られた固形分解物の処理方法であって、固形分解物を粉体とした後所定形状に成形し、防水膜を成膜して耐水性のある構造体とすることを特徴とする固形分解物の処理方法。
【請求項５】
固形分解物に鉄心やピアノ線等の強度部材とともに成形することにより構造体の機械的強度を増加させることを特徴とする請求項４記載の固形分解物の処理方法。
【発明の詳細な説明】
【技術分野】
【０００１】
本発明は、有機系廃棄物を蒸気分解して得られた固形分解物の処理方法に関する。
【背景技術】
【０００２】
例えば特開２００２−１１３４４４号公報には、食品廃棄物、農業・畜産廃棄物あるいは漁業廃棄物等の有機系廃棄物を蒸気分解する技術が開示されている。この従来技術は、ボイラで発生した水蒸気を反応器に供給することにより当該反応器内の有機系廃棄物を蒸気分解するものであり、当該蒸気分解によって生成された分解物に各種の処理を施すことにより、液体状の分解物から液体肥料を分離したり、固形の分解物から肥料や固形燃料を生成するものである。
【特許文献１】特開２００２−１１３４４４号公報
【発明の開示】
【発明が解決しようとする課題】
【０００３】
ところで、上記固形分解物については肥料や固形燃料として再利用されるが、上述した処理装置が普及すると、大量の固形分解物が生産されることになり、肥料や固形燃料以外の再利用方法が模索されている。また、逆の視点から、固形分解物の新たな処理方法が種々開発されることにより、有機系廃棄物を蒸気分解する処理装置の普及が期待される。
【０００４】
本発明は、上述した事情に鑑みてなされたものであり、有機系廃棄物を蒸気分解して得られる固形分解物の新たな処理方法を提供することを目的とするものである。
【課題を解決するための手段】
【０００５】
上記目的を達成するために、本発明では、有機系廃棄物を蒸気分解して得られた固形分解物の処理方法であって、固形分解物を生分解性プラスチック容器に詰め込んで埋設するという手段を採用する。
【発明の効果】
【０００６】
本発明によれば、生分解性プラスチック容器に詰め込むことによって有機系廃棄物の蒸気分解処理場所から埋設場所までの搬送における取扱性が向上すると共に、生分解性プラスチック容器が地中で微生物によって分解されるので固形分解物が土壌と交じり合って土壌を改質することができる。また、固形分解物は蒸気分解処理によって滅菌及び雑草等の種子が不稔化されているので、例えば発酵堆肥よりも土壌改質材としての利用範囲が広い。
【発明を実施するための最良の形態】
【０００７】
以下、図面を参照して、本発明の一実施形態について説明する。
図１は、本実施形態で用いる有機系廃棄物処理装置の概略構成図である。この構成図において、処理容器１は、一種の圧力容器であり、給気弁２を介して蒸気ボイラ３から供給される水蒸気によって草木等の有機系廃棄物Ｘを蒸気分解する。この処理容器１は、側部が開閉ドアになっており、当該開閉ドアを介して内部に有機系廃棄物Ｘを収容する。給気弁２は、水蒸気の処理容器１への供給を制御する制御弁であり、自らの開閉状態を変更することにより処理容器１内の温度及び圧力が所定値となるように、つまり処理容器１内における蒸気分解の処理条件を設定する。
【０００８】
蒸気ボイラ３は、水蒸気を発生させ、給気弁２を介して上記処理容器１に供給する。排気弁４は、蒸気分解後の排ガスを外部に排出するために処理容器１に付随して設けられた排出経路の途中部位に備えられている。この排気弁４は、有機系廃棄物Ｘの蒸気分解時には閉じられて排出経路を閉鎖する一方、蒸気分解が終了すると開放される。ドレイン排出弁５は、処理容器１の低部に溜まる液体成分を外部に排出するために設けられている。
【０００９】
この液体成分は、有機系廃棄物Ｘを蒸気分解することによって得られる有機系廃棄物Ｘの抽出液である。安全弁６は、処理容器１内が異常圧力となったときに開状態となって処理容器１を保護する。圧力計７は、処理容器１の内圧つまり処理容器１内における蒸気分解の分解圧力を計測する。温度計８は、処理容器１の内部温度つまり処理容器１内における蒸気分解の分解温度を計測する。
【００１０】
なお、この構成図では、有機系廃棄物処理装置の制御構成については省略している。本有機系廃棄物処理装置には実際は制御装置が付随しており、この制御装置は、圧力計７及び温度計８の各測定値に基づいて処理容器１内で生じる蒸気分解の処理条件が所定条件となるように給気弁４を制御すると共に、蒸気分解の処理時間等に応じて排気弁４やドレイン排出弁５の開閉を制御する。
【００１１】
次に、このような有機系廃棄物処理装置を用いて得られた固形分解物の処理方法について、図２に示す説明図を参照して説明する。
〔第１の処理方法〕
最初に原料である有機系廃棄物Ｘは、上記有機系廃棄物処理装置によって水蒸気分解されることによって固形分解物Ｙ及び抽出液となる。有機系廃棄物Ｘは、例えば草、木材、藁あるいは籾殻であり、木材や藁はウッドチッパ等によって予め細かく裁断された状態で処理容器１内に収容される。
【００１２】
そして、排気弁４及びドレイン排出弁５が閉状態とされ、また給気弁２が開状態とされることによって、蒸気ボイラ３の水蒸気が処理容器１内に供給され、所定時間に亘る有機系廃棄物Ｘの蒸気分解処理が行われる。この蒸気分解処理の間、処理条件つまり処理圧力及び処理温度は、圧力計７及び温度計８の各性測値に基づいて所定の処理条件に維持される。ここで、草を分解処理する場合の処理温度は１７０〜１８０°Ｃ、また木材、藁あるいは籾殻を分解処理する場合の処理温度は１８０〜２１０°Ｃに設定される。
【００１３】
このような蒸気分解処理が終了すると、給気弁２が閉状態とされると共に排気弁４が開状態とされ、続いてドレイン排出弁５が開状態とされる。そして、排ガスは排気弁４を介して大気に放出され、さらに処理容器１の低部に溜まった抽出液はドレイン排出弁５を介して外部に排出される。そして、処理容器１内に残った固形分解物Ｙは開閉ドアを介して外部に搬出される。
【００１４】
そして、上記固形分解物Ｙは、生分解性プラスチック容器に詰め込んだ状態で土壌改質材１０として埋設処理される。有機系廃棄物Ｘを水蒸気分解処理して得られる固形分解物Ｙは、有機系廃棄物Ｘから抽出液等が分離されることによって３０〜８０％に減容化されたものである。このような固形分解物Ｙは、有機系廃棄物Ｘを水蒸気分解したものであり、自然環境に対して有害なものではなく地中に埋設しても環境に悪影響を与えるものではない。
【００１５】
固形分解物Ｙを生分解性プラスチック容器に詰め込んだ土壌改質材１０とすることによって、当該土壌改質材１０を有機系廃棄物処理装置の設置場所から埋設場所まで搬送する際の取り扱いが容易となる。また、このような土壌改質材１０を埋設した場合、数ヶ月の間に生分解性プラスチック容器は分解され、この結果、当該生分解性プラスチック容器内に収納された固形分解物Ｙは土壌と混じり合って土壌を改質する。さらに、固形分解物Ｙは蒸気分解処理によって雑草等の種子が不捻化されているので、土壌改質材１０は例えば発酵堆肥よりも利用範囲が広い。
【００１６】
〔第２の処理方法〕
次に、第２の処理方法では、上記第１の処理方法と同様に蒸気分解処理された固形分解物Ｙをマット状（板状）にプレス成型することにより土木資材１１として再利用する。固形分解物Ｙはウッドチッパ等によって予め細かく裁断した有機系廃棄物Ｘを水蒸気分解したものであり、比較的サイズの小さいチップ状あるいは粉体状である。
【００１７】
また、蒸気分解処理によってセルロース等の高分子が分解されて生成された糖質等を含んでいるために成型性に優れている。したがって、プレス成形によって種々の形状に成形することが容易である。固形分解物Ｙは上述したように自然環境に対して無害なので、このような土木資材２は、例えば道路や公園等に敷設されたり、あるいは屋上緑化や園芸、砂漠化防止用に敷設される。
【００１８】
〔第３の処理方法〕
続いて、固形分解物Ｙを乾燥させた後にペレット状に成形することによって固形燃料１２とする。このような固形燃料１２は、生の刈草や蒔よりも水分が少ないため燃焼性及び保存性に優れており、またペレット状なために取り扱いが容易である。
【００１９】
〔第４の処理方法〕
固形分解物Ｙを粉体とした後所定形状に成形し、さらに防水膜を成膜して耐水性のある構造体とし、例えばプラスチック製品の代替（プラスチック代替品１３）とする。この防水膜としては、例えば漆等を用いることが考えられる。また、固形分解物Ｙに例えば鉄心やピアノ線等の強度部材とともに成形することにより機械的強度を持たせ、構造材とすることが考えられる。なお、このように防水膜や鉄心、ピアノ線等との混成によって強度の高い構造体とすることにより、プラスチック代替品１３としての用途を拡大することができる。
【図面の簡単な説明】
【００２０】
【図１】本発明の一実施形態における有機系廃棄物処理装置の概略構成図である。
【図２】本発明の一実施形態に係る固形分解物Ｙの処理方法を示す説明図である。
【符号の説明】
【００２１】
Ｘ…草木、Ｙ…固形分解物、１…処理容器、２…給気弁、３…蒸気ボイラ、４…排気弁、５…ドレイン排出弁、６…安全弁、７…圧力計、８…温度計、１０…土壌改質材、１１…土木資材、１２…固形燃料、１３…プラスチック代替品
【図１】
2005144245.tif 000003
【図２】
2005144245.tif 000004